(57)【特許請求の範囲】
【請求項１】
特定のサービス施設で使用可能な情報記録カードのカード価値を、ブリッジカードを介して他のサービス施設で使用可能な情報記録カードへ移行することにより、前記カード価値を各サービス施設で共通利用可能にするシステムであって、
前記サービス施設に設置され、挿入された情報記録カードのカード価値を読み取り、読み取ったカード価値を装置内に予めストックしてある情報記録カードへ書き込み、これを発券するブリッジ装置と、
前記ブリッジ装置で読み書きされたカード価値を前記サービス施設毎に管理する情報管理手段とを備え、
前記ブリッジ装置は、挿入カードが前記情報管理手段の管理下におかれたブリッジカードであるかを判定する判定手段と、
その判定の結果、挿入カードがブリッジカードである場合には、そのカード価値を読み取るとともに、読み取ったカード価値を設置元のサービス施設で使用可能な情報記録カードへ書き込み、挿入カードが設置元のサービス施設で使用可能な情報記録カードである場合には、そのカード価値を読み取るとともに、読み取ったカード価値をブリッジカードへ書き込む読書手段とを備えることを特徴とするカード価値の共通利用システム。
【請求項２】
サービス施設に設置され、設置元のサービス施設で使用可能な情報記録カードが挿入されると、そのカード価値を装置内に予めストックしてある他のサービス施設でも使用可能なブリッジカードへ移行し、これを発券するブリッジ装置であって、
挿入カードが設置元のサービス施設で使用可能な情報記録カードである場合に、そのカード価値を読み取るとともに、読み取ったカード価値をブリッジカードへ書き込む読書手段を備えることを特徴とするブリッジ装置。
【請求項３】
サービス施設に設置され、他のサービス施設でも使用可能なブリッジカードが挿入されると、そのカード価値を装置内に予めストックしてある設置元で使用可能な情報記録カードへ移行し、これを発券する装置であって、
挿入カードがブリッジカードである場合に、そのカード価値を読み取るとともに、読み取ったカード価値を設置元のサービス施設で使用可能な情報記録カードへ書き込む読書手段とを備えることを特徴とするブリッジ装置。
【発明の詳細な説明】
【０００１】
【発明の属する技術分野】
本発明は、サービス施設独自のカードシステムを許容しつつ、対価の決済に用いられる情報記録カードのカード価値を各サービス施設で共通利用可能にするシステムに関する。
【０００２】
【従来の技術】
プリペイドカードには、いわゆるハウスカードと呼ばれるカードがある。
この種のプリペイドカードは、店（サービス施設）毎に独自の価値を付加することができるというメリットがある反面、Ａ店用のプリペイドカードはＡ店でしか使用できず、これをＢ店で使用することができない。
このため、将来的にはプリペイドカードの共通利用を円滑に進めるための対策が必要になり得る。
【０００３】
【発明が解決しようとする課題】
しかしながら、物販や遊興サービスを利用者に提供する店側の立場からみれば、他店用のプリペイドカードを自店で使用させることはできない。
その理由は、プリペイドカードを共通利用させるには、カード価値が保証されていなければならないからである。
【０００４】
このため、カード価値を第三者が保証しない限り、Ａ店用のプリペイドカードをＢ店で利用させることは困難である。
ごくまれに、グループ企業（法人は別）がそれぞれ発行したプリペイドカードをグループ企業内で使用可能としているケースもあるが、この場合は、カード価値の保証をグループ企業として行っていることになるから問題は生じない。
【０００５】
ここで、プリペイドカードの共通利用を図る方法としては、Ａ店およびＢ店が独自のプリペイドカードから第三者発行型のプリペイドカードに切り替え、このプリペイドカードをカード発行会社の加盟店内で自由に使用できるようにする方法が考えられる。
【０００６】
しかしながら、この方法では、Ａ店およびＢ店のそれぞれが所有している独自のシステム、すなわちプリペイドカード，該プリペイドカードの記録情報の読み書きを行う読書装置，店内に設置された読書装置を集中管理する中継装置等を第三者発行型のカードシステムに変更しないと、使用できなくなってしまう。
このため、店のコスト負担が大きく、システムの切り替えをスムーズに行うことはできない。
【０００７】
また、仮にＡ店およびＢ店が第三者発行型のプリペイドカードシステムに加盟していたとしても、利用者がプリペイドカードを利用する形態としては、カード発行会社の全加盟店でプリペイドカードを利用する形態と、プリペイドカードを購入した加盟店でのみプリペイドカードを利用する形態とが考えられる。
【０００８】
かかる場合には、後者がハウスカード型の利用形態になるため、実行的にＡ店およびＢ店が負担したプリペイドカードをそれぞれの店で共通利用させるためには、スムーズな対応が必要になる。
【０００９】
本発明は、上記事情に鑑みてなされたもので、その目的とするところは、サービス施設独自のカードシステムを許容しつつ、情報記録カードのカード価値を各サービス施設で共通利用可能にすることにある。
【００１０】
【課題を解決するための手段】
本発明は、前記課題を解決するために以下の構成を採用した。
すなわち、特定のサービス施設で使用可能な情報記録カードのカード価値を、ブリッジカードを介して他のサービス施設で使用可能な情報記録カードへ移行することにより、前記カード価値を各サービス施設で共通利用可能にするシステムであって、
前記サービス施設に設置され、挿入された情報記録カードのカード価値を読み取り、読み取ったカード価値を装置内に予めストックしてある情報記録カードへ書き込み、これを発券するブリッジ装置と、
前記ブリッジ装置で読み書きされたカード価値を前記サービス施設毎に管理する情報管理手段とを備え、
前記ブリッジ装置は、挿入カードが前記情報管理手段の管理下におかれたブリッジカードであるかを判定する判定手段と、
その判定の結果、挿入カードがブリッジカードである場合には、そのカード価値を読み取るとともに、読み取ったカード価値を設置元のサービス施設で使用可能な情報記録カードへ書き込み、挿入カードが設置元のサービス施設で使用可能な情報記録カードである場合には、そのカード価値を読み取るとともに、読み取ったカード価値をブリッジカードへ書き込む読書手段とを備えることを特徴とするものである。
【００１１】
この構成では、一方の情報記録カードから読み取られて他方の情報記録カードに書き込まれるカード価値が、サービス施設毎に情報管理手段で管理される。
このため、カード価値がサービス施設以外の第三者に保証された状態で情報記録カード間を移行することになる。
【００１２】
また、情報記録カード間でのカード価値の移行が、情報管理手段の管理下におかれたブリッジカードを介して行われる。
これにより、カード価値が第三者保証されることはもとより、他のサービス施設へカード残高が流出する場合であっても、移行元の情報記録カードがブリッジ装置で回収されるため、移行元のサービス施設で発券された情報記録カードは同サービス施設内で確実に再利用されることとなる。
【００１５】
【発明の実施の形態】
以下、本発明の一実施形態について、図面を参照しながら説明する。
図１は、本実施形態に係るカード価値移行システムの概略構成図であり、同図中、Ａ店およびＢ店とあるのはサービス施設を示している。
サービス施設は、物品の販売（物販）や遊興サービスなどを提供するデパート，スーパー，小売店，飲食店あるいは遊興施設等の大衆にサービスを提供する施設である。
【００１６】
また、カード価値とは、そのプリペイドカードが利用者のニーズにどれだけ応え得るか（使用価値）、そのプリペイドカードが他のいかなる財と交換し得るか（交換価値）をいい、例えば、金額，度数，回数の他、特定の会員にのみ付与される特典等がある。
【００１７】
本実施形態において、Ａ店およびＢ店では、それぞれ独自のカードシステム（ハウスカードシステム）を採用しているものとする。
すなわち、各店に設置された券売機からは、その店独自のプリペイドカード（情報記録カード）が発券され、これらプリペイドカード間に互換性はない。
また、各店に設置された入金機，読書装置等で行われるプリペイドカードの読書処理も全く別々のシステムが採用されているものとする。
【００１８】
入金機は、利用者がカード残高を増やす際に使用する装置であり、プリペイドカードおよび現金を挿入すると、当該プリペイドカードは、挿入時残高に挿入金額を加算した金額まで使用可能になる。
読書装置は、物販や遊興サービスの提供装置に付設されていて、利用者がプリペイドカードを用いて物販やサービスの提供を受けた際に、その対価をカード残高から相殺する装置である。
【００１９】
Ａ店及びＢ店には、上記装置の他に、一方の店で発券されたプリペイドカードのカード残高を他店で利用可能にするためのブリッジ装置が設置されている。
このブリッジ装置は、一方の店で発券されたプリペイドカードが挿入されると、第三者発行のブリッジカードを発券し、これとは逆にブリッジカードが挿入されると、ブリッジ装置の設置店で使用できるプリペイドカードを発券する装置であり、判定手段と読書手段を備えている。
【００２０】
プリペイドカードには、カード情報として、各プリペイドカードに固定的に付与されたカードＩＤ，入金日や支払日等の日付情報，入金額やカード残高等の現金情報等が記録され、本実施形態ではカード残高がカード価値に相当する。
他方、ブリッジカードには、カード情報として、各ブリッジカードに固定的に付与されたカードＩＤ，プリペイドカード間で移行されるカード残高等が記録されている。
【００２１】
さらに、プリペイドカードには、店毎に固有の店コードが記録され、ブリッジカードにも、プリペイドカードに記録される店コードとは異なる固有の店コードが記録されている。
【００２２】
そして、ブリッジ装置は、挿入カードがブリッジカードであるか否かを、カードから読み取った店コードに基づき判定し（判定手段）、その判定の結果、挿入カードがブリッジカードである場合には、それに記録されているカード残高を読み取るとともに、読み取ったカード残高を設置元の店で使用可能なプリペイドカードへ書き込み、挿入カードが設置元の店で使用可能なプリペイドカードである場合には、そのカード残高を読み取るとともに、読み取ったカード残高をブリッジカードへ書き込む（読書手段）。
【００２３】
ブリッジ装置において、プリペイドカードとブリッジカードとの間で読み書きされるカード残高は、カード発行会社であるセンタ（情報管理手段）で管理されることにより、第三者保証される。
このため、センタはブリッジ装置と接続され、ブリッジ装置で発券／回収されたブリッジカードのカード情報を店毎に集中管理している。
【００２４】
すなわち、センタは、ブリッジ装置設置店の店コード，発券／回収されたブリッジカードのカードＩＤ，ブリッジカードのステータス（発券／回収），ブリッジカードを発券／回収した日付，プリペイドカードとブリッジカードとの間で読み書きされるカード残高等のカード情報をブリッジ装置から受信すると、これらの情報を記憶したデータベースを逐一更新している。
【００２５】
次に、本システムの概略について、図２を参照しながら説明する。
Ａ店の利用者がＡ店に設置されたブリッジ装置にＡ店用のプリペイドカードを挿入すると、このブリッジ装置からはプリペイドカード挿入時のカード残高が書き込まれたブリッジカードが発券される。
このときに書き込まれたカード残高は、センタによって第三者保証される。
【００２６】
そして、利用者がＢ店に入店した際に、Ｂ店に設置されたブリッジ装置にブリッジカードを挿入すると、このブリッジカードに書き込まれたカード残高と同じカード残高を書き込んだＢ店用のプリペイドカードが発券される。
これにより、利用者Ｘは、Ａ店で使い残したカード残高に相当する物販や遊興サービスの提供をＢ店で受けることができるようになる。
【００２７】
また、Ａ店用のプリペイドカードのカード残高をＢ店で利用するつもりで一旦ブリッジカードの発券を受けたが、やはりＡ店で物販や遊興サービスを受けたいと考え直した場合にも、図３に示すように、Ａ店で発券されたブリッジカードをＡ店のブリッジ装置に挿入すれば、Ａ店用のプリペイドカードが発券されるようになっている。
【００２８】
次に、ブリッジ装置およびセンタで行われる処理フローについて、図４および図５を参照して説明する。
図４は、ブリッジ装置で行われる処理フローを示している。
同図に示すように、ブリッジ装置にカードが挿入されると（Ｓ１１）、まず、挿入カードがブリッジカードであるか否かを判定する（Ｓ１２）。
この判定は、挿入カードから読み取った店コードに基づき、判定手段が行う。
【００２９】
挿入カードがブリッジカードでなく、プリペイドカードである場合には、プリペイドカードよりカードＩＤ，カード残高等を読み取り（Ｓ１３）、読み取ったカード残高を装置内にストックしてあるブリッジカードへ書き込む（Ｓ１４）。
このカード残高の読み書きは、読書手段が行う。
【００３０】
しかる後、ブリッジ装置は、カード残高の書き込まれたブリッジカードを発券し（Ｓ１５）、発券したブリッジカードのカード情報として、店コード，カードＩＤ，日付（発券日），ステータス（発券），カード残高等をセンタへ送信する（Ｓ１６）。
装置内に取り込まれたプリペイドカードは、店内で再利用される。
【００３１】
他方、挿入カードがブリッジカードである場合には、ブリッジカードよりカードＩＤ，カード残高等を読み取り、これらに基づいてカードの認証を行なった後（Ｓ１７）、読み取ったカード残高を装置内にストックしてあるプリペイドカードへ書き込む（Ｓ１８）。
前記同様、カード残高の読み書きは、読書手段が行う。
【００３２】
しかる後、ブリッジ装置は、カード残高の書き込まれたプリペイドカードを発券し（Ｓ１９）、装置内に取り込んだブリッジカードのカード情報として、店コード，カードＩＤ，日付（回収日），ステータス（回収），カード残高等をセンタへ送信する（Ｓ２０）。
装置内に取り込まれたブリッジカードは、店内で再利用される。
【００３３】
図５は、センタで行われる処理フローを示している。
同図に示すように、ブリッジ装置から店コード，カードＩＤ，日付，ステータス，カード残高等を受信すると（Ｓ２１）、店コードに対する受信情報の履歴をデータベースに追加し（Ｓ２２）、店コードに対して全てのブリッジカードに書き込まれているカード残高の総計額を更新する（Ｓ２３）。
【００３４】
この総計額の更新（Ｓ２３）について補足すると、ブリッジカードが発券された場合には、プリペイドカードのカード残高がブリッジカードに移行するため、カード残高を店コードに対するそれまでの総計額に加える（＋）。
これに対し、ブリッジカードが回収された場合には、ブリッジカードのカード残高がプリペイドカードに移行するため、カード残高を店コードに対するそれまでの総計額から差し引く（−）。
これにより、各店に対して、カード残高を担保できるようになる。
【００３５】
以上説明したように、本実施形態によれば、利用者にとっては、プリペイドカードのカード残高を複数の店で有効に利用することができるようになり、利便性が格段に向上する。
他方、店にとっては、既に採用している独自のカードシステムを残しつつ、共通利用への対応が可能となるため、システム移行を低コストにてスムーズに行うことができる。
【００３６】
また、他店へカード残高が流出する場合には、自店のプリペイドカードをブリッジ装置で確実に回収することができるため、店内で再利用を繰り返すことによるカード媒体代の均一化ひいては費用負担の軽減化も図ることもできる。
さらに、カード残高の有効利用が可能になる結果、プリペイドカードの販売促進も期待することができる。
【００３７】
なお、上記の実施形態では、Ａ店およびＢ店ともに独自のカードシステムを採用している場合について説明したが、本発明はこれに限らず、各店で採用するカードシステムに応じて、種々の応用が可能である。
以下、応用例の概略について、図６を参照して説明する。
ちなみに、同図の基本例は、上記の実施形態に係るシステムを示している。
【００３８】
応用例１は、Ａ店が独自のカードシステムを採用しているのに対し、Ｂ店では第三者発行型のプリペイドカードが使用できるカードシステムを採用している場合に採り得るシステムを示している。
この応用例１は、Ａ店で発券されたブリッジカードがＢ店でそのまま使用できることを特徴としており、ブリッジカードを第三者発行型のプリペイドカードと同様に構成すれば実現可能となる。
【００３９】
応用例２は、Ａ店が第三者発行型のプリペイドカードが使用できるカードシステムを採用しているのに対し、Ｂ店では独自のカードシステムを採用している場合に採り得るシステムを示している。
この応用例２は、ブリッジカードを使用せず、Ａ店で使用可能な第三者発行型のプリペイドカードをＢ店のブリッジ装置に挿入すると、Ｂ店用のプリペイドカードカードが発券されることを特徴とし、第三者発行型のプリペイドカードからカード情報を読み取る機能をブリッジ装置に持たせれば実現可能となる。
【００４０】
また、本発明は、各サービス施設で共通利用されるカード価値として、金額情報の他に度数（回数）情報等を採用するようにしても構わない。
また、各サービス施設間の取り決め等によって、必ずしも等価でカード価値を移行させなくてもよい。
【００４１】
【発明の効果】
以上の説明から明らかなように、本発明によれば、利用者にとっては、情報記録カードのカード価値を複数のサービス施設で有効利用できるようになり、利便性が格段に向上する。
他方、サービス施設にとっては、システム移行を低コストにて円滑に行うことができる。
【００４２】
また、他のサービス施設へカード価値が流出する場合には、自己のサービス施設で発券した情報記録カードを確実に回収することできるため、サービス施設内で情報記録カードのリサイクルシステムを確立することが可能になる。
これにより、カード媒体代の均一化ひいては費用負担の軽減化を図ることができる。
【図面の簡単な説明】
【図１】本発明の一実施形態を示す全体構成図である。
【図２】Ａ店用のプリペイドカードからＢ店用プリペイドカードにカード残高が移行するまでの流れを示す図である。
【図３】ブリッジ装置が有する発券機能の一部を示す図である。
【図４】ブリッジ装置での処理フローを示すフローチャートである。
【図５】センタでの処理フローを示すフローチャートである。
【図６】本発明の他の応用例を示す図である。
【図１】
0003604580.tif 000002
【図２】
0003604580.tif 000003
【図３】
0003604580.tif 000004
【図４】
0003604580.tif 000005
【図５】
0003604580.tif 000006
【図６】
0003604580.tif 000007